(57)【特許請求の範囲】
【請求項１】
ケーブル又は冷媒管を収納する長尺状収納体の開口上部を連続的に施蓋するカバーにおいて、収納体の開口上部を施蓋するカバー体と、このカバー体の長手両側縁から屈曲され、収納体の長手側縁に沿って該長手側縁の外側に重合する一対の係止片とから成り、該カバー体の長手一端部の係止片相互を他端部の係止片相互の間隔より狭めると共に、係止片相互の間隔がカバー体の一端部から他端部にかけて漸次広がるように形成し、間隔が狭い一方の端部を幅狭端部とし、間隔が広い他方の端部を幅広端部とし、隣接するカバーの一方の幅広端部を他方の幅狭端部上面にスライド自在に重合してカバーの長さを調整することを特徴とするスライド式カバー。
【請求項２】
前記カバー体は、上面が平板なカバー体である請求項１記載のスライド式カバー。
【請求項３】
前記カバー体は、上面が屋根形状のカバー体である請求項１記載のスライド式カバー。
【発明の詳細な説明】
【０００１】
【発明の属する技術分野】
本発明は、例えばケーブルラックやケーブルダクト、冷媒管ラックなどの略樋状若しくは略はしご状を成した長尺な収納体の開口部を連続的に施蓋するスライド式カバーに関する。
【０００２】
【従来の技術】
従来、ビル建物などでケーブルを収納するケーブルラックや、空調配管を収納する冷媒管ラック等の開口部を連続施蓋するカバーとして、当出願人が先に提案した特開平９−１６３５３９号公報や、特開２００１−２５１２８公報に記載されたカバーが使用されている。これらのカバーは、平面状を成した天板の長手両側縁を屈曲して、ケーブルラックの親桁等の外側に係止する係止片を形成したものである。また、この他のカバーとして天板が屋根形状に屈曲されたタイプのカバーも多く使用されている（例えば特開２０００−０２３３２７公報参照）。
【０００３】
これらのカバーでラック等を施蓋する場合は、いずれも、規制長さのカバーを組み合わせて使用しているが、現場に合わせて施工することから、規制長さ以外のサイズが必要になることがある。この場合、規制長さのカバーを切断して使用するか、あるいは、規制長さ以外のサイズに合わせた特注品をメーカーに発注するといった手段が採られている。
【０００４】
更に、これらのカバーで、天板が平面状のタイプのカバーを連結する場合は、隣接するカバー端部を突き当てた状態で連結することになる。例えば、特開平９−１６３５３９号に記載されているカバーの接続方法によると、カバーの端部相互を突き合わせた状態にして、側面略コ字形の継ぎ金具をネジ止めすることで連結している。
【０００５】
一方、屋根形状に屈曲されたタイプのカバーでは、カバーの一方の端部に段部を設ける必要があった。そして、このタイプのカバーを接続する際に、付き合わせた一方の端部を他方の段部に重ねた状態で連結することで、連結部分の隙間を閉塞するようにしている。
【０００６】
【発明が解決しようとする課題】
規制長さのカバーを現場で切断して使用する場合、現場にて切断した切断部分は、規制長さのカバーのように正確な直線状にならない。そのため、切断部分をヤスリがけすることで直線状に整える作業を行うこともあるが、この作業で直線状にできない場合は、この切断端部を突き合わせた部分に隙間が生じることになる。すると、この隙間から雨水が浸入し易くなるので、特開２００１−２５１２８に記載されたカバー接続材を切断端部に介して接続する工事なども行われている。
【０００７】
ところが、これら一連の作業、すなわち、規制長さのカバーを現場で切断し、研磨し、必要によってカバー接続材を介しながら連続施蓋するなどといった作業は、極めて多くの手間と時間が費やされるので、この種の施蓋工事の遅延化を招いていた。また、規格以外の長さのカバーを特注品として発注する手段もあるが、発注から納期までに時間が掛かる不都合がある。
【０００８】
一方、屋根形タイプのカバーを使用する場合、カバーの接続端部の隙間を少なくする段部を予め形成する必要があるので、天板が平面状を成したカバーに比べてカバーの製造コストを高めていた。
【０００９】
そこで本発明は、上述の課題を解消すべく創出されたもので、極めて簡単な作業でカバーを連続施蓋することが可能になり、カバー接続材を使用しなくても雨水の防水効果が高く、しかも、カバーの製造コストを抑えることができるスライド式カバーの提供を目的とする。
【００１０】
【課題を解決するための手段】
上述の目的を達成すべく本発明の第１の手段は、ケーブル又は冷媒管を収納する略樋状を成した収納体Ｐの開口上部を連続的に施蓋するカバーにおいて、収納体の開口上部を施蓋するカバー体１と、このカバー体１の長手両側縁から屈曲され、収納体Ｐの長手側縁Ｐ１に沿って該長手側縁Ｐ１の外側に重合する一対の係止片２とから成り、カバー体１長手一端部の係止片２相互の間隔を他端部の係止片２相互の間隔より狭めると共に、係止片２相互の間隔がカバー体１の一端部から他端部にかけて漸次広がるように形成し、間隔が狭い一端部を幅狭端部４とし、間隔が広い他端部を幅広端部３とし、隣接するカバーの一方の幅広端部３を他方の幅狭端部４上面にスライド自在に重合してカバーの長さを調整することにある。
【００１１】
第２の手段において、カバー体１は、上面が平板なタイプのカバー体１を使用するものである。
【００１２】
第３の手段のカバー体１は、上面が屋根形状のカバー体１を使用することを課題解決のための手段とする。
【００１３】
本発明によると、隣接するカバーの一方の幅広端部３と他方の幅狭端部４とをスライド自在に重ね合わせることでカバーの長さを調整するものである。
【００１４】
【発明の実施の形態】
以下、図面を参照して本発明の実施の形態を詳細に説明する。本発明スライド式カバーは、カバー体１と係止片２とで構成されており、略樋状を成した収納体Ｐの開口上部を連続的に施蓋するものである（図１、図４参照）。
【００１５】
収納体Ｐは、例えばケーブルを収納するケーブルラックやケーブルダクトなどの略樋状若しくは略はしご状の収納体Ｐ、あるいは冷媒管を収納する冷媒管ラックや冷媒管ダクトなどの収納体Ｐである。そして、これら収納体Ｐの開口上部に沿って本発明スライド式カバーを長さ調整自在に施蓋する。
【００１６】
カバー体１は、収納体の開口上部を施蓋する帯板状の部分である。このカバー体１には、例えば、上面が平板なタイプのカバー体１や（図１、図３参照）、上面が屋根形状のカバー体１などがある（図４、図６参照）。平板タイプのカバー体１は、主にケーブルを収納するケーブルラック等を施蓋するカバーとして使用され、屋根形タイプのカバー体１は、主に冷媒管などを収納する冷媒管ラック等を施蓋するカバーとして使用されている。本発明スライド式カバーは、これらいずれのタイプのカバー体１にも適用する。
【００１７】
係止片２は、カバー体１の長手両側縁を屈曲して形成したものである（図３、図６参照）。この係止片２は、収納体Ｐの長手側縁Ｐ１の外側に重合するように設けられている。そして、相対する係止片２相互の間隔は、カバー体１の一方の端部と他方の端部とにおいて僅かに幅を変えてある。
【００１８】
すなわち、カバー体１において、長手一端部の係止片２相互の間隔を他端部の係止片２相互の間隔より狭めると共に、係止片２相互の間隔がカバー体１の一端部から他端部にかけて漸次広がるように形成している（図２、図５参照）。そして、間隔が狭い一端部を幅狭端部４とし、間隔が広い他端部を幅広端部３とすると、隣接する一方のカバーの幅広端部３を他方の幅狭端部４上面にスライド自在に重合することで、カバー全体の長さを調整するものである。
【００１９】
本発明スライド式カバーの材質として、例えば、溶融亜鉛メッキ鋼板のメラミン樹脂焼付塗装、熱間圧延軟鋼板の溶融亜鉛メッキ仕上げ、ステンレス鋼、ガルバリウム鋼板など、任意の材質を選択することができる。このとき、平板タイプのカバーにおいて、熱間圧延軟鋼板の溶融亜鉛メッキ仕上げを用い、全長１５００ｍｍ、厚み１．６ｍｍのカバーを形成する際に、幅狭端部４の幅を３２４ｍｍ乃至１０２４ｍｍにした場合、幅広端部３の係止片２間内寸を３３０ｍｍ乃至１０３０ｍｍに設定し、幅広端部３の係止片２間内寸との差を６ｍｍとすることで、スムーズな調整作業で全面スライドが可能になる。
【００２０】
一方、同じ材質で全長１５００ｍｍ、厚み１．６ｍｍの屋根形タイプのカバーを形成する際に、幅狭端部４の幅を３２４ｍｍ乃至１０２４ｍｍにした場合、幅広端部３の係止片２間内寸を３３４ｍｍ乃至１０３４ｍｍに設定し、幅広端部３の係止片２間内寸との差を１０ｍｍとすることで、全面スライドが可能になり、長さ調整の制約をなくし、あらゆる長さに調整することができる。
【００２１】
【発明の効果】
本発明は、上述の如く構成したことにより、当初の目的を達成する。
【００２２】
すなわち、一方の係止片２相互の間隔を他方の係止片２相互の間隔より狭めると共に、係止片２相互の間隔が一方から他方にかけて漸次狭まるように形成し、間隔が狭い一端部を幅狭端部４とし、間隔が広い他端部を幅広端部３とし、隣接するカバーの一方の幅広端部３を他方の幅狭端部４上面にスライド自在に重合してカバーの長さを調整するするので、極めて簡単な作業でカバーの長さを調整することができる。
【００２３】
この結果、従来のカバーのように規制長さのカバーを現場で切断する作業や、切断部分をヤスリがけする作業、あるいは、カバー接続材を切断端部に介する工事や、特注品の発注などが一切必要なくなり、収納体Ｐ施蓋作業を合理化して工事期間を著しく短縮化することに成功した。
【００２４】
しかも、請求項２、３により、上面が平板なタイプのカバー体１はもちろん、上面が屋根形状のカバー体１においても、同様に長さをスライド調整することができる。したがって、上面が屋根形状のカバー体１に段部を形成する必要がなくなり、各種カバーの製造コストを抑えることができる。しかも、ケーブル収納用のラックや冷媒管収納用のラックなどに使用するなど、カバーの使用目的は一種類に限定されないので、各種の収納体Ｐに適応した使用が可能になる。
【００２５】
このように本発明によると、極めて簡単な作業でカバーを連続施蓋することが可能になり、カバー接続材を使用しなくても雨水の防水効果が高く、しかも、カバーの製造コストを抑えることができるなどといった種々の効果を奏するものである。
【図面の簡単な説明】
【図１】本発明の一実施例を示す斜視図。
【図２】本発明の一実施例の使用状態を示す平面図。
【図３】本発明の一実施例を示す断面図。
【図４】本発明の他の実施例を示す斜視図。
【図５】本発明の他の実施例の使用状態を示す平面図。
【図６】本発明の他の実施例を示す断面図。
【符号の説明】
Ｐ  収納体        Ｐ１  長手側縁
１  カバー体
２  係止片
３  幅広端部
４  幅狭端部
【図１】
0003613797.tif 000002
【図２】
0003613797.tif 000003
【図３】
0003613797.tif 000004
【図４】
0003613797.tif 000005
【図５】
0003613797.tif 000006
【図６】
0003613797.tif 000007